(57)【要約】【課題】  ナビゲーション装置等の機器・装置に接続されたケーブルのコネクタの取り外し作業を効率的に達成できるプライヤを提供すること。【解決手段】  本発明の板ばね式ロック機構付きのケーブルコネクタの取り外し用のプライヤは、グリップ部分と作用部分を有する一対の棒状部材が、一対のグリップ部分のなす角度が小さくなるほど、一対の作用部分のなす角度が大きくなるように枢着部にて連結され、作用部分の回動する面内にて、一対の作用部分の先端が一方の作用部分の側へオフセットされ、他方の作用部分の外側に平面が形成され、更に、一対の作用部分の閉位置と開位置との間に於ける先端の距離の変位量が取り外しの対象となるケーブルコネクタのソケットに差し込まれた状態に於ける該ソケット内に延在する部分の長さの最長のものと実質的に等しくなるよう構成される。【選択図】        図２
2017001133.tif 000002
【特許請求の範囲】
【請求項１】
板ばね式ロック機構付きのケーブルコネクタの取り外し用のプライヤであって、
第一のグリップ部分と第一の作用部分と第一の枢着部とを有する第一の棒状部材と、
第二のグリップ部分と第二の作用部分と第二の枢着部とを有し、前記第二のグリップ部分と前記第二の作用部分とがそれぞれ前記第一のグリップ部分と前記第一の作用部分に対向して配置され、前記第一のグリップ部分と前記第二のグリップ部分との間の角度が小さくなるほど、前記第一の作用部分と前記第二の作用部分との間の角度が大きくなるよう前記第二の枢着部が前記第一の枢着部に対して枢動可能に連結された第二の棒状部材と
を含み、
前記第一の作用部分と前記第二の作用部分のそれぞれの長手方向軸線とが実質的に平行となり前記第一の作用部分と前記第二の作用部分との先端が実質的に整合する閉位置と、前記閉位置と前記第一の作用部分と前記第二の作用部分のそれぞれの長手方向軸線との角度が最大となる開位置との間にて、前記第一のグリップ部分と前記第二のグリップ部分との間の角度を変化させることにより、前記第一の作用部分と前記第二の作用部分との間の角度が変化し、
前記第一の作用部分に対して前記第二の枢着部周りに前記第二の作用部分が回動する面内に於いて、前記第一の作用部分と前記第二の作用部分との先端が前記第一の作用部分と前記第二の作用部分のそれぞれの長手方向軸線に対して前記第一の作用部分の側へオフセットされ、
前記第二の作用部分の先端の外側面が平面に形成され、
前記閉位置と前記開位置との間に於ける前記第一の作用部分と前記第二の作用部分との先端の間の距離の変位量が、取り外しの対象となるケーブルコネクタのうちの、ソケットに差し込まれた状態に於ける該ソケット内に延在する部分の長さが最長のケーブルコネクタの該ソケット内に延在する部分の長さと実質的に等しいことを特徴とするプライヤ。
【発明の詳細な説明】
【技術分野】
【０００１】
本発明は、プライヤに係り、より詳細には、自動車等の車両のナビゲーション装置やその他の機械器具に接続された電線ケーブル又は信号線ケーブルのコネクタの取り外し又は脱離のための使用されるプライヤに係る。
【背景技術】
【０００２】
従前より、プライヤ（或いは「プライヤレンチ」、「ペンチ」などとも称される。）として、特に、或る機器又は装置に対する或る特定の部品の取り付け又は取り外しのために専用に設計され又は構成された形式のものが種々提案され使用されている。そのようなプライヤとして、例えば、機器又は装置に於ける軸部又は穴部に於いてスナップリングの取り付け又は取り外しのためにデザインされたスナップリングプライヤなどが良く知られている（例えば、特許文献１）。プライヤは、通常、一対の棒状部材を、それらの両端の間の或る位置にて、互いに対して回動可能に枢着し、一対の棒状部材に於ける枢着点の一方の側にて使用者が把握するためのグリップ部分が構成され、枢着点の他方の側にて対象物に接する作用部分が構成される。枢着点に於いて、一対の棒状部材が互いに交差している構成の場合には、一対の棒状部材のグリップ部分をそれらのなす角が小さくなる方向に互いに近づけると（閉じると）、一対の棒状部材の作用部分も閉じることとなり（一対の作用部分のなす角が小さくなる）、一対の棒状部材のグリップ部分をそれらのなす角が大きくなる方向に互いから遠ざけると（開くと）、一対の棒状部材の作用部分のなす角が大きくなる方向に開くこととなる（作用部分の開閉がグリップ部分の開閉と同じとなるタイプ）。一方、枢着点に於いて、一対の棒状部材が互いに交差していない構成の場合には、一対の棒状部材のグリップ部分をそれらのなす角が大きくなる方向に開くと、一対の棒状部材の作用部分がそれらのなす角が小さくなる方向に閉じることとなり、一対の棒状部材のグリップ部分をそれらのなす角が小さくなる方向に閉じると、一対の棒状部材の作用部分がそれらのなす角が大きくなる方向に開くこととなる（作用部分の開閉がグリップ部分の開閉と逆となるタイプ）。例えば、スナップリングプライヤの場合、穴部内にスナップリングを嵌め込むための穴用プライヤは、前者の作用部分の開閉がグリップ部分の開閉と同じタイプであり、軸部上にスナップリングを外から嵌めるための軸用プライヤは、後者の作用部分の開閉がグリップ部分の開閉と逆となるタイプである。作用部分の開閉がグリップ部分の開閉と逆となるタイプのプライヤは、一般的には、二つの対象物又は対象部位の間を拡げるために使用されることが多い。
【先行技術文献】
【特許文献】
【０００３】
【特許文献１】特開２０１０−１２５３６
【発明の概要】
【発明が解決しようとする課題】
【０００４】
ところで、自動車等の車両に於いては、ナビゲーション装置やその他の種々の機器、装置が搭載されているところ、これらの機器又は装置に対して電源の供給や種々の信号の送受信のために、種々の電線又は信号線ケーブルが接続される。そのような機器又は装置に対するケーブルの接続に於いては、機器又は装置を、適宜、設置又撤去することが有り得るので、典型的には、ケーブルの端部に機器又は装置の壁面に設けられたソケットに脱着可能に差込まれるコネクタが取り付けられる。ナビゲーション装置等の機器又は装置のケーブルの接続に用いられるコネクタ（しばしば、「自動車用コネクタ」と称される。）の場合、典型的には、後に説明される図３に模式的に描かれている如く、ケーブルの各コード（伝導線）が固定されたハウジングの側面に外向きの突起を有し外方へ突出した板ばね部が取り付けられ、コネクタがソケットに差し込まれると、板ばね部の突起がソケット内壁の窪みに嵌め込まれて板ばね部の弾性力によって押し付けられ、これにより、コネクタがソケットから簡単に脱落することが防止されるよう構成されている（ロック機構）。そして、ソケットに差し込まれたコネクタを取り外す際には、まず、板ばね部をコネクタのハウジング外壁面に向かって押し付けて、板ばね部の突起をソケット内壁の窪みから脱出させてロック機構を解除し、しかる後に、コネクタがソケット内から引き出されることとなる。
【０００５】
上記のソケットに差し込まれたコネクタを取り外す際の操作（取り外し操作）を自動車等の車両に於いて、例えば、車室内に設置された機器又は装置に於いて行う場合、狭い空間内で作業を行うこととなるので、作業者の手、腰、指に大きな負担がかかることとなる。例えば、ナビゲーション装置は、典型的には、運転席の比較的下方の位置に取り付けられているので、コネクタの取り外し操作の際には、装置のコネクタの取り付け位置を覗き込みつつ、指でコネクタの板ばね部を押圧しながらコネクタを引き抜くといった動きが必要となり、作業は煩わしく、効率が悪い。また、寸法の小さいコネクタの場合には、指で取り外し操作を行うことが難しい場合も有り得る。従って、かかるコネクタの取り外し操作、即ち、コネクタの板ばね部をコネクタのハウジング外壁面に向かって押し付けて、板ばね部の突起をソケット内壁の窪みから脱出させてロック機構を解除し、その状態で、コネクタがソケット内から引き出す操作を、コネクタを直接に指で触らずに、簡単に達成できる専用の治具があると便利であろう。
【０００６】
かくして、本発明の一つの課題は、車両の車室内に設置されるナビゲーション装置等の機器・装置に接続されたケーブルのコネクタの取り外し作業を効率的に達成できるプライヤを提供することである。
【課題を解決するための手段】
【０００７】
本発明によれば、上記の課題は、板ばね式ロック機構付きのケーブルコネクタの取り外し用のプライヤであって、
第一のグリップ部分と第一の作用部分とこれらを連結する第一の枢着部とを有する第一の棒状部材と、
第二のグリップ部分と第二の作用部分とこれらを連結する第二の枢着部とを有し、第二のグリップ部分と第二の作用部分とがそれぞれ第一のグリップ部分と第一の作用部分に対向して配置され、第一のグリップ部分と第二のグリップ部分との間の角度が小さくなるほど、第一の作用部分と第二の作用部分との間の角度が大きくなるよう第二の枢着部が第一の枢着部に対して枢動可能に連結された第二の棒状部材と
を含み、
第一の作用部分と第二の作用部分のそれぞれの長手方向軸線とが略平行となり第一の作用部分と第二の作用部分との先端が実質的に整合する閉位置と、第一の作用部分と第二の作用部分のそれぞれの長手方向軸線との角度が最大となる開位置との間にて、第一のグリップ部分と第二のグリップ部分との間の角度を変化させることにより、第一の作用部分と第二の作用部分との間の角度が変化し、
第一の作用部分に対して第二の枢着部周りに第二の作用部分が回動する面内に於いて、第一の作用部分と第二の作用部分との先端が第一の作用部分と第二の作用部分のそれぞれの長手方向軸線に対して第一の作用部分の側へオフセットされ、
第二の作用部分の先端の外側面が平面に形成され、
閉位置と開位置との間に於ける第一の作用部分と第二の作用部分との先端の間の距離の変位量が、取り外しの対象となるケーブルコネクタのうちの、ソケットに差し込まれた状態に於ける該ソケット内に延在する部分の長さが最長のケーブルコネクタの該ソケット内に延在する部分の長さと実質的に等しいことを特徴とするプライヤによって達成される。
【０００８】
上記の構成に於いて、「板ばね式ロック機構付きのケーブルコネクタ」とは、既に触れた如く、外向きの突起を有し外方へ突出した板ばねがコネクタのハウジングの外面に取り付けられ、コネクタがソケットに差し込まれると、板ばね部の突起がソケット内壁の窪みに嵌め込まれて板ばね部の弾性力によって押し付けられて、コネクタをソケットに対して錠止するロック機構を有するコネクタである。「グリップ部分」は、通常のプライヤと同様に、使用者が手にて把持する部分であり、「作用部分」は、第一の棒状部材と第二の棒状部材のそれぞれに於いて、枢着部を介してグリップ部分に連結され、対象物であるコネクタに力又はトルクを作用する部分である。上記の第一の棒状部材と第二の棒状部材との位置と連結の構成の記載から理解される如く、本発明のプライヤは、端的に述べれば、一対のグリップ部分を把持して閉じると、一対の作用部分の間が拡がる形式、即ち、作用部分の開閉がグリップ部分の開閉と逆となるタイプのプライヤである。
【０００９】
そして、上記の構成に記載されている如く、本発明のプライヤは、ソケットに差し込まれた板ばね式ロック機構付きのケーブルコネクタをソケットから取り外す作業を容易に達成できるようにするための特徴を有している。まず、第一の作用部分に対して第二の枢着部周りに第二の作用部分が回動する面、即ち、グリップ部分の開閉に対応して一対の作用部分が開閉する面内に於いて、第一の作用部分と第二の作用部分との先端が第一の作用部分と第二の作用部分のそれぞれの長手方向軸線（それぞれ枢着部を通る軸線）に対して第一の作用部分の側へオフセットされるよう構成される。かかる構成によれば、後述の実施形態の欄と図面を参照して、よりよく理解される如く、一対の作用部分が閉じた状態（閉位置）から開いた状態（開位置）へ変位する際に、第一の作用部分の長手方向軸線に沿った方向について、第二の作用部分の先端が外方へ（枢着部から離れる方向に）突出して弧を描く軌跡にて変位することとなる。従って、一対の作用部分が閉位置の状態で、ソケットに差し込まれたコネクタに一対の作用部分の先端を当接し、しかる後に、一対のグリップ部分を把持して閉じることにより、一対の作用部分を開位置にする間に、第二の作用部分の先端が板ばねをコネクタのハウジングに押し付けるように変位することとなるので、コネクタをソケットに錠止するロック機構の解除が為されることとなる。
【００１０】
また、本発明に於いて、第二の作用部分の先端の外側面（第一の作用部分に対向する面と反対側の面）が平面に形成される。かかる構成により、第二の作用部分の先端の開位置への変位の間に、第二の作用部分の先端がより確実に（板ばねを介して）コネクタのハウジングの外面に係合して、コネクタをソケットから引き抜く方向に力を作用させることが可能となる。なお、この点に関し、コネクタの種類によっては、コネクタのハウジングの外面の外端（ソケットから見た最遠端）に於いて外向きの突起が設けられている場合があり、その場合には、かかる突起に対して第二の作用部分の先端の平面形状の部分が当接することにより、より確実にコネクタをソケットから引き抜く方向に力が作用されることとなる。
【００１１】
更にまた、本発明に於いては、本発明の閉位置と開位置との間に於ける第一の作用部分と第二の作用部分との先端の間の距離の変位量が、取り外しの対象となるケーブルコネクタのうちの、ソケットに差し込まれた状態に於ける該ソケット内に延在する部分の長さが最長のケーブルコネクタの該ソケット内に延在する部分の長さと実質的に等しくなるよう構成される。かかる構成によれば、一対の作用部分が閉位置から開位置へ変位した際に、コネクタのソケット内に差し込まれていた部分の殆ど全てが引き出されることとなる。また、一対の作用部分の先端の間の開位置に於ける距離が、過剰にコネクタの全長よりも長いことにより、コネクタがソケットから脱出した後に、周囲に飛散してしまうといった不具合も防げることとなる。
【００１２】
本発明のプライヤの使用に於いては、後述の図面を参照した説明からより詳細に理解される如く、端的に述べれば、第一の作用部分がソケットのある機器・装置等の壁面に当接又は近接する向きにて、一対の作用部分が閉位置の状態でその先端をソケットに差し込まれたコネクタの外面とソケットの外縁との近傍に当接される。即ち、一対の作用部分の開閉運動の面がコネクタの引き抜かれる方向と一致するように、一対の作用部分の先端がコネクタ上に配置される。しかる後に、一対のグリップ部分に把持力を与えて、グリップ部分を閉じる方向に変位させると、上記に触れた如く、第二の作用部分の先端が第一の作用部分の先端から離れる際に、板ばねをコネクタのハウジングの外面へ向かって押し付けるとともに、コネクタをソケットから離れる方向に力を作用するので、コネクタがソケットから引き抜かれることとなる。その際、第二の作用部分の先端が開位置になった状態になるまでの第二の作用部分の先端の変位量は、コネクタのソケット内に差し込まれていた部分の長さ程度となるので、ソケットから引き抜かれたコネクタが遠くまで飛散することが防止されることとなる。
【発明の効果】
【００１３】
かくして、上記の本発明のプライヤの構成によれば、ナビゲーション装置やその他の種々の機器、装置の壁面のソケットに差し込まれたコネクタを容易に取り外すことが可能となり、これにより、作業の効率化が期待される。なお、本発明のプライヤは、典型的には、「自動車用コネクタ」と称される板ばね式ロック機構付きのケーブルコネクタの取り外しに使用されることが想定されているが、任意の機器・装置の側面のソケットに差し込まれたコネクタの取り外しに使用されてもよく、そのような場合も本発明の範囲に属することは理解されるべきである。
【００１４】
本発明のその他の目的及び利点は、以下の本発明の好ましい実施形態の説明により明らかになるであろう。
【図面の簡単な説明】
【００１５】
【図１】図１（Ａ）、（Ｂ）は、それぞれ、本発明によるプライヤの閉位置と開位置に於ける模式的な平面図である。図１（Ｃ）は、本発明によるプライヤの作用部分の先端の形状の模式的な斜視図である。
【図２】図２（Ａ）〜（Ｃ）は、本発明によるプライヤにより、機器のソケットに差し込まれたコネクタを取り外す過程を模式的に表した図である。図２（Ｄ）は、コネクタの外端に於ける突起部にプライヤの作用部分の先端が当接した状態を模式的に表した図である。図２（Ｅ）は、本発明によるプライヤに於いて採用され得るプライヤの骨組み構成の模式図である。動作側部分は、閉位置にある場合が太線にて、開位置にある場合が細線にて、それぞれ示されている。
【図３】図３（Ａ）は、本発明によるプライヤの作業対象となる板ばね式ロック機構付きのケーブルコネクタが機器のソケットに差し込まれてロック機構により、ソケット内に錠止された状態のコネクタの端面（左）と側方から見た断面図（右）であり、図３（Ｂ）は、ソケットに差し込まれたコネクタのロック機構による錠止が解除された状態のコネクタの端面（左）と側方から見た断面図（右）である。図３（Ｃ）は、典型的なナビゲーション装置の裏面（種々のコネクタソケットの配置された面）の模式図であり、図中の数値は、ソケットの深さ（ソケット内に延在するコネクタの部分の長さ）を示している。
【符号の説明】
【００１６】
１…プライヤ
２…動作側部材（第二の棒状部材）
３…支持側部材（第一の棒状部材）
２ａ、３ａ…グリップ部分
２ｂ、３ｂ…作用部分
２ｃ、３ｃ…枢着部
２ｄ、３ｄ…作用部分の先端
２ｆ…動作側作用部分の平面切り欠き部
４…ばね
５…締結部
６…枢着締結部
１０…コネクタハウジング
１０ａ…ハウジング外面
１３…コネクタハウジングガイド部
１４…板ばね部
１４ａ…錠止突起
１４ｂ…外端突起
２０…ソケット
２０ａ…ソケット窪み部
１００…機器背面部
【発明を実施するための最良の形態】
【００１７】
以下に添付の図を参照しつつ、本発明を幾つかの好ましい実施形態について詳細に説明する。図中、同一の符号は、同一の部位を示す。
【００１８】
板ばね式ロック機構付きのケーブルコネクタの構成
本発明のプライヤは、「発明の概要」の欄に於いて説明されている如く、自動車等の車両の車室内に設置されるナビゲーション装置又はその他の機器・装置への種々の信号又は電力の供給用のケーブルを接続するための「板ばね式ロック機構付きのケーブルコネクタ」の取り外しに用いられる。かかるコネクタは、典型的には、図３（Ａ）、（Ｂ）の左図に模式的に描かれている如く、信号線又は電力線の端が格子状に配列された端子群１２が概ね四角形状のコネクタハウジング１０に囲繞された構成を有している。ハウジング１０には、コネクタハウジングガイド部１３が形成され、コネクタが、図３（Ａ）、（Ｂ）の右図に模式的に描かれている如きナビゲーション装置等の機器の背面部１００に設けられたソケット２０に差し込まれる際に、ガイド部１３によって、ソケット２０内でのコネクタの位置決めが為される。そして、ハウジング１０には、更に、コネクタをソケット２０内にて錠止するためのロック機構として、ハウジング１０の外面１０ａにてコネクタの長手方向（ソケット２０への差込み方向）に向かって外面１０ａから離れる方向に延在する板ばね１４と、その板ばね１４上（例えば、比較的コネクタの先端に近い部位）にて、コネクタの長手方向に対して垂直方向に外方に突出した錠止突起１４ａとが設けられる。かかるロック機構に於いては、図３（Ａ）の左図に模式的に描かれている如く、コネクタハウジング１０がソケット２０内へ差し込まれると、板ばね１４の弾性力Ｆｅ（図中上向き）によって錠止突起１４ａがソケット２０に設けられた窪み２０ａ内へ押圧されつつ係合し、これにより、ソケット２０内にてコネクタハウジング１０の長手方向の動きが拘束されることとなる。
【００１９】
上記のソケット２０内に差し込まれたコネクタハウジング１０をソケット２０から脱出させて取り外す際には、図３（Ｂ）に模式的に描かれている如く、まず、板ばね１４を、その弾性力Ｆｅに抗して、ハウジング１０の外面１０ａへ向かって押し付ける力ｐをソケット２０の外側のコネクタハウジング１０の部分に与え、これにより、板ばね１４上の錠止突起１４ａをソケット２０内の窪み２０ａから脱出させ（ロック機構の解除）、その状態で、ソケット２０の外側方向（ｗ方向）へコネクタハウジング１０が引き抜かれることとなる。なお、或る種類のコネクタハウジング１０に於いては、コネクタハウジング１０の端部の把持を容易するなどの目的で、コネクタハウジング１０の外端近傍に突起１４ｂが形成されている場合もある。また、かかるコネクタハウジング１０のソケット２０内からの引き抜き操作に於いては、当然ながら、ソケット２０内に差し込まれたコネクタハウジング１０の部分の長さ、即ち、ソケット２０の深さ、Ｄｓだけコネクタハウジング１０を移動させることが必要となる。この点に関し、通常、ソケット２０の深さＤｓは、コネクタの種類によって異なる。例えば、典型的なナビゲーション装置の一つの例に於いては、図３（Ｃ）に例示されている如く、複数のコネクタがナビゲーション装置の裏面に取り付けられるところ、ソケット２０の深さＤｓは、１３〜２０ｍｍの範囲の種々の長さとなる。
【００２０】
上記の「板ばね式ロック機構付きのケーブルコネクタ」の取り外し作業に関して、「発明の概要」の欄にて触れた如く、ナビゲーション装置等の機器は、狭い車室内に設置されることが多く、その場合、作業者の直接の指によるコネクタの取り外しは、狭い空間内でソケット２０に差し込まれたコネクタの端部を指で把持しなければならないといった煩わしい作業となる。そこで、本発明に於いては、作業者がコネクタを直接に指で触らずに取り外しのできるコネクタ取り外し作業用プライヤが提案される。
【００２１】
コネクタ取り外し用プライヤの構成
上記の「板ばね式ロック機構付きのケーブルコネクタ」の取り外し作業に於いては、図３にて説明された如く、ソケット２０の外部に突出しているコネクタハウジング１０の部分にて板ばね１４をコネクタハウジング１０の外面１０ａへ押し付ける操作と、その状態で長さＤｓだけコネクタハウジング１０をソケット２０の外方（ｗ方向）へ変位させる操作が行われることとなる。従って、本発明のコネクタ取り外し作業用のプライヤは、後に説明される如く、上記の操作が容易に達成できるよう構成される。
【００２２】
図１（Ａ）、（Ｂ）を参照して、本発明によるコネクタ取り外し作業用プライヤ１は、作用部分の開閉がグリップ部分の開閉と逆となるタイプのプライヤであり、典型的なプライヤの構成と同様に、一対の棒状部材２、３が互いに対して枢動可能に連結される。特に、本発明のプライヤの場合には、図に於いて左右非対称の形状を有しており、以下に於いて、左側の棒状部材を動作側部材２（第二の棒状部材）と、右側の棒状部材を支持側部材３（第一の棒状部材）と称するものとする。動作側部材２及び支持側部材３とも、基本的な構成要素として、それぞれ、グリップ部分２ａ、３ａと、これと一体に形成された枢着部２ｃ、３ｃと、枢着部２ｃ、３ｃ上にてグリップ部分２ａ、３ａの略延長線に延在するようにナット及びワッシャ（図示せず）等の締結手段５により固定された作用部分２ｂ、３ｂとを有する。そして、図から理解される如く、動作側部材２と支持側部材３とは、枢着部２ｃ、３ｃに於いて枢着締結部６にて枢動可能に連結される（図に於いて、作用部分の裏側の枢着部の形状は、点線にて示されている。）。なお、動作側部材２側と支持側部材３側とは、交差していないので、図１（Ａ）の状態、即ち、グリップ部分２ａ、３ａの間が開き、作用部分２ｂ、３ｂの間が閉じた状態（閉位置）に於いて、グリップ部分２ａ、３ａの成す角度が小さくなる方向（図中、矢印Ａの方向）に枢着締結部６周りに変位されると、作用部分２ｂ、３ｂがそれらの成す角度が大きくなる方向（図中、矢印Ｂの方向）に枢着締結部６周りに変位され、図１（Ｂ）の状態、即ち、グリップ部分２ａ、３ａの間が閉じて、作用部分２ｂ、３ｂの間が開いた状態（開位置）となる。また、動作側部材２のグリップ部分２ａと支持側部材３のグリップ部分３ａとの間には、ばね４が掛けられ、作用部分２ｂ、３ｂが閉位置となる方向に弾性力が付勢されていてよい。（従って、グリップ部分２ａ、３ａの間にてグリップ部分２ａを矢印Ａの方向の変位させる把持力を与えないときには、ばね４のばね力によって、動作側部材２は、自動的に、閉位置となる。）。
【００２３】
上記の基本構成に加えて、本発明のプライヤに於いては、まず、図示の如く、作用部分２ｂ、３ｂの先端２ｄ、３ｄが、作用部分２ｂ、３ｂの回動面（図面に平行な面）内に於いて、作用部分２ｂ、３ｂの長手方向軸線２ｘ、３ｘに対して、支持側部材３側へオフセットされ（図中、矢印ii、iii）、閉位置にて互いに概ね整合するよう形成される（先端同士が完全に一致していなくてもよい。）。かかる構成の場合、図１（Ｂ）に示されている如く、作用部分２ｂ、３ｂの間が閉位置から開位置へ距離ｄ１だけ変位する過程に於いて、作用部分２ｂの先端２ｄが、円弧を描きながら、支持側部材３の作用部分３ｂの長手方向に於いて、距離ｄ２にて、外方（図中、下向き）に変位することとなる。この作用部分２ｂの先端２ｄの回動時の変位ｄ２により、後に説明される如く、ソケットに差し込まれたコネクタに於けるロック機構の解除が達成されることとなる。
【００２４】
また、動作側部材２の作用部分２ｂの先端２ｄに於いては、好適には、図１（Ｃ）に模式的に描かれている如く、その外側、即ち、支持側部材の側と反対側に平面２ｆが形成される。平面２ｆは、先端２ｄを、その回動方向に対して垂直に延在する平板状に形成されてよく、或いは、先端２ｄを切り欠くことによって形成されてよい。かかる構成によれば、後述の如く（図２（Ｄ）参照）、平面２ｆがコネクタの外端突起１４ｂに面当接し、コネクタをソケットから引き抜く動作に於いて有利となる。
【００２５】
更に、閉位置から開位置への作用部分２ｂ、３ｂの間の変位量である距離ｄ１は、ソケットに差し込まれたコネクタの部分がソケットの外に脱出できるだけの距離、即ち、少なくともソケットの深さＤｓ程度であることが好ましい。この点に関し、仮に距離ｄ１がソケットの深さＤｓ或いはコネクタの全長よりも相当に長い場合には、コネクタがソケットから脱出した後に、飛散してしまう場合がある。また、既に触れた如く、ソケットの深さは、コネクタの種類によって異なり、一つのナビゲーション装置の裏面に取り付けられるソケットに於いても、深さはまちまちである。その場合、取り外し作業の対象となるコネクタの差し込まれるソケットのうち、最も深いソケットに差し込まれたコネクタがソケットの外に脱出できるだけの距離、コネクタの変位が達成できるようにすることが好ましいであろう。そこで、本発明のプライヤに於いて、閉位置から開位置への作用部分２ｂ、３ｂの間の変位量である距離ｄ１が、取り外しの対象となるケーブルコネクタのうちの、ソケットに差し込まれた状態に於ける該ソケット内に延在する部分の長さが最長のケーブルコネクタの該ソケット内に延在する部分の長さと実質的に等しくなるように、作用部分３ｂに対する作用部分２ｂの回動可能範囲が調節されてよい。かかる調節は、例えば、図１（Ａ）の閉位置から図１（Ｂ）の開位置へ作用部分２ｂが変位した際に、図中Ｒの付された部分の作用部分２ｂの上部の角部と作用部分３ｂの上部の対向する角部との当接が生ずる位置を適宜調節することによって達成可能である。
【００２６】
コネクタ取り外し用プライヤの使用
図２（Ａ）〜（Ｃ）を参照して、本発明によるプライヤの使用に於いては、作業者は、プライヤのグリップ部分を手にて把持し、まず、図２（Ａ）の如く、ナビゲーション装置等の背面部１００のソケット２０内に差し込まれて錠止されているコネクタハウジング１０のソケット２０の開口付近の部位に対して、プライヤ１の支持側部材３が背面部１００に対向し、作用部分２ｂの回動面がコネクタ１０の引き抜かれる方向に略沿うように、プライヤ１が配置される。この状態から、上側の一対のグリップ部分の角度が小さくなる方向に把持力Ｆｇを与えると、図２（Ｂ）〜（Ｃ）に於いて、グリップ部分２ａがグリップ部分３ａに近づくと伴に、作用部分２ｂがコネクタ１０の引き抜き方向に回動する。そうすると、既に述べた如く、作用部分２ｂの先端２ｄは、作用部分３ｂの長手方向に於いて外方へ変位するので、先端２ｄがコネクタハウジング１０に取り付けられた板ばね１４を押し下げ、これにより、板ばね１４上の錠止突起１４ａがソケット２０内の窪み２０ａから脱出してロック機構が解除されるので、先端２ｄの回動とともにコネクタハウジング１０がソケット２０から脱出されることとなる。また、図２（Ｄ）により明瞭に描かれている如く、特に、コネクタハウジング１０の外端に突起１４ｂが設けられているコネクタの場合、先端２ｄの平面２ｆが突起１４ｂに面当接することとなるので、先端２ｄの回動によるコネクタハウジング１０のソケット２０からの引き抜きをより確実に達成することが可能となる（コネクタハウジング１０に突起１４ｂが設けられていない場合にも、先端２ｄが点ではなく、平坦な形状となっていることにより、コネクタハウジング１０の外面を捕捉する摩擦力が大きくなるので、コネクタハウジング１０を牽引する際に有利である。）。
【００２７】
かくして、図２（Ｃ）に描かれている如く、作用部分２ｂと作用部分３ｂとの間が開位置となったとき、その距離の変位ｄ１は、最も深いソケットのその深さＤｓとなっているので、コネクタハウジング１０の全長又はその殆どがソケット２０の外へ脱出されることとなる。
【００２８】
以上の如く、上記の本発明によるプライヤによれば、プライヤの先端をコネクタハウジング１０のソケット２０の開口付近の部位に配置し、グリップ部分を閉じる操作をするだけで、ソケット２０の外部に突出しているコネクタハウジング１０の部分にて板ばね１４をコネクタハウジング１０の外面１０ａへ押し付ける操作と、その状態で長さＤｓだけコネクタハウジング１０をソケット２０の外方（ｗ方向）へ変位させる操作が達成され、直接、作業者がコネクタを指で操作することなく、コネクタの取り外し作業が容易に達成できることとなる。換言すれば、本発明によるプライヤによれば、「ワンタッチ」でコネクタの取り外しが達成できることとなる。
【００２９】
以上の説明は、本発明の実施の形態に関連してなされているが、当業者にとつて多くの修正及び変更が容易に可能であり、本発明は、上記に例示された実施形態のみに限定されるものではなく、本発明の概念から逸脱することなく種々の装置に適用されることは明らかであろう。
【００３０】
例えば、プライヤの形状について、図１（Ａ）、（Ｂ）の例と異なる骨組みの構成も考えられ、そのような場合も本発明の範囲に含まれると解されるべきである。例えば、図２（Ｅ）の左図及び右図に模式的に描かれているような骨組みのプライヤであっても、それぞれ、本発明の構成要件を満たして得ることは理解されるべきである。
【図１】
2017001133.tif 000003
【図２】
2017001133.tif 000004
【図３】
2017001133.tif 000005